(57)【要約】【課題】気中ケーブルヘッドの土台部に簡易足場を直接的に組み付け、この簡易足場を介して作業員が気中ケーブルヘッドに種々の作業を効率良く、安全に実施すると共に、鉄塔上等に設置されている気中ケーブルヘッドにも簡易足場を容易に組み付けて、作業員が種々の作業を容易に実施することのできる、気中ケーブルヘッド用の簡易足場を提供する。【解決手段】本発明は、気中ケーブルヘッドの土台部に直接的に組み付けることのできる、気中ケーブルヘッド用の簡易足場であり、気中ケーブルヘッドの土台部に乗せる複数の縦型鋼材と、この複数の縦型鋼材を連結する湾曲した複数の横型鋼材により構成され、複数の縦型鋼材は、ナットを取り外して土台部から上向きに突出している架台のボルト軸を挿通させる孔を有する水平板片を下端部に固定している。【選択図】図５
2010022106.tif 000002
【特許請求の範囲】
【請求項１】
気中ケーブルヘッドの土台部に直接的に組み付けることのできる、気中ケーブルヘッド用の簡易足場であり、気中ケーブルヘッドの土台部に乗せる複数の縦型鋼材と、この複数の縦型鋼材を連結する湾曲した複数の横型鋼材により構成され、複数の縦型鋼材は、ナットを取り外して土台部から上向きに突出している架台のボルト軸を挿通させる孔を有する水平板片を下端部に固定していることを特徴とする気中ケーブルヘッド用の簡易足場。
【請求項２】
気中ケーブルヘッドの土台部に直接的に組み付けることのできる、気中ケーブルヘッド用の簡易足場であり、気中ケーブルヘッドの土台部に乗せる基礎部分と、基礎部分の上部に取り付ける積み重ね部分を備えていることを特徴とする気中ケーブルヘッド用の簡易足場。
【請求項３】
基礎部分は、２本の縦型鋼材と１本の縦型保持枠を湾曲した複数の横型鋼材により連結している一対の半周枠体により形成され、それぞれの縦型鋼材は、ナットを取り外して土台部から上向きに突出している架台のボルト軸を挿通させる孔を有する水平板片を下端部に固定している請求項２に記載の気中ケーブルヘッド用の簡易足場。
【請求項４】
積み重ね部分は、２本の縦型鋼材と１本の縦型保持枠を湾曲した複数の横型鋼材により連結している一対の半周枠体により形成され、それぞれの縦型鋼材の下端部に接続用の筒部を設け、基礎部分を構成する縦型鋼材の上部分に、積み重ね部分の筒部を被せるようにして両部材を接続する請求項２または３に記載の気中ケーブルヘッド用の簡易足場。
【請求項５】
基礎部分は、２本の短尺な縦型鋼材を、湾曲した横型鋼材により連結して形成され、それぞれの縦型鋼材は、ナットを取り外して土台部から上向きに突出している架台のボルト軸を挿通させる孔を有する水平板片を下端部に固定し、また、上部に細径の接続用棒部材を設けている請求項２に記載の気中ケーブルヘッド用の簡易足場。
【請求項６】
積み重ね部分は、２本の短尺な縦型鋼材を、湾曲した横型鋼材により連結して形成され、それぞれの縦型鋼材の下部に接続用の穴を設け、また、上部に細径の接続用棒部材を設け、基礎部分の接続用棒部材を積み重ね部分の接続用の穴に挿入して両部材を接続し、また、積み重ね部分の接続用棒部材を他の積み重ね部分の接続用の穴に挿入して両部材を接続する請求項２または５に記載の気中ケーブルヘッド用の簡易足場。
【請求項７】
気中ケーブルヘッドの土台部に直接的に組み付けることのできる、気中ケーブルヘッド用の簡易足場であり、気中ケーブルヘッドの土台部に乗せる複数の独立した縦型鋼材と、離隔している個々の縦型鋼材間に取り付ける単体としての横型鋼材により構成され、複数の独立した縦型鋼材は、ナットを取り外して土台部から上向きに突出している架台のボルト軸を挿通させる孔を有する水平板片を下端部に固定していることを特徴とする気中ケーブルヘッド用の簡易足場。
【請求項８】
複数の独立した縦型鋼材は、上方から下方にかけて徐々に径を太くした複数の棒部材を連設して形成され、それぞれの部材の連設部分に段差を設けている請求項７に記載の気中ケーブルヘッド用の簡易足場。
【請求項９】
縦型鋼材は、下方に位置する棒部材の上部に接続用の穴を設け、この穴に上方に位置する棒部材の下部を挿入して複数の棒部材を連設している請求項７または８に記載の気中ケーブルヘッド用の簡易足場。
【請求項１０】
離隔している個々の縦型鋼材間に取り付ける単体としての横型鋼材は、所定の長さの湾曲部材と、湾曲部材の両端部に設けたリング部分により形成されている請求項７に記載の気中ケーブルヘッド用の簡易足場。
【請求項１１】
離隔している個々の縦型鋼材間に取り付ける単体としての横型鋼材は、所定の長さの湾曲部材と、湾曲部材の両端部に設けた３連設のリング部分により形成されている請求項７に記載の気中ケーブルヘッド用の簡易足場。
【請求項１２】
離隔している個々の縦型鋼材間に取り付ける単体としての横型鋼材は、所定の長さの湾曲部材と、湾曲部材の両端部に設けた横長状のリング部分により形成されている請求項７に記載の気中ケーブルヘッド用の簡易足場。
【請求項１３】
離隔している個々の縦型鋼材間に取り付ける単体としての横型鋼材は、所定の長さの湾曲部材を太径部材と細径部材により形成し、細径部材は太径部材に対して進退可能となるように太径部材に取り付けられ、これらの太径部材と細径部材の端部に単独のリング部分を設けている請求項７に記載の気中ケーブルヘッド用の簡易足場。
【発明の詳細な説明】
【技術分野】
【０００１】
本発明は、気中ケーブルヘッドに直接的に組み付けることのできる、気中ケーブルヘッド用の簡易足場に関するものである。
【背景技術】
【０００２】
気中ケーブルヘッドＡは、電力流通設備の終端部に使用されることから、例えば、図１９に示すように、地上（地中ではない）に建設している所定の架台Ｊの上に設置されている。また、気中ケーブルヘッドＡは、変電所構内（変電所構内の地下を含む）や、鉄塔上にも設置されている。
【０００３】
この気中ケーブルヘッドＡに対しては、作業員Ｓにより日々の点検作業や清掃作業、補修作業、リード線の開放・接続作業等の種々の作業を実施している。
【０００４】
そして、気中ケーブルヘッドＡは、主に電圧階級によりその大きさや高さが異なる数多くの種類が存在しており、気中ケーブルヘッドＡが大型で所定の高さを備えているときは、図１９に示すように、気中ケーブルヘッドＡの近隣に複数の単管パイプを組み上げて足場Ｔを設置し、この足場Ｔを介して作業員Ｓが気中ケーブルヘッドＡに種々の作業を実施している。
【特許文献１】特になし
【発明の開示】
【発明が解決しようとする課題】
【０００５】
しかしながら、気中ケーブルヘッドＡに種々の作業を実施するたびに、気中ケーブルヘッドＡの近隣に足場Ｔを設置し、また、作業が終了したときに足場Ｔを解体するのも非常に面倒であり、作業時間も長くなって全体の作業効率が悪くなっている。
【０００６】
また、足場Ｔの設置作業と解体作業自体に所定の費用がかかってしまう。
【０００７】
さらに、気中ケーブルヘッドＡが変電所等に設置されていることが多いため、足場Ｔを組み上げるために単管パイプ等の長尺物を運搬する際に、それらが充電部に接近して作業員Ｓが感電する危険性を伴っている。
【０００８】
また、気中ケーブルヘッドＡに種々の作業を実施する際には、基本的に送電を停止しているが、当然のことながら送電の停止時間は短いほうが良い。しかし、足場Ｔの設置作業と解体作業に時間を費やすと、送電の停止時間もおのずと長くなってしまう。
【０００９】
この他、気中ケーブルヘッドＡが充電部に接近している等の周囲環境に制約がある場合、また、送電の停止時間を非常に短くしなければならない等の時間的な制約がある場合は、そもそも足場Ｔを設置することが困難である。
【００１０】
このような場合、図２０に示すように、作業員Ｓが安全帯Kを装着し、この安全帯Kが備えているロープＲを気中ケーブルヘッドＡの碍子部分Ｂに巻回した状態において、作業員Ｓの手を気中ケーブルヘッドＡの碍子部分Ｂに掛け、また、作業員Ｓの足を碍子部分Ｂに乗せて、作業員Ｓが気中ケーブルヘッドＡに直接昇って種々の作業を実施することもある。
【００１１】
しかし、気中ケーブルヘッドＡにおける作業員Ｓの姿勢が不安定になり易く、作業員Ｓが墜落してしまう危険性を伴っている。
【００１２】
また、気中ケーブルヘッドＡとして複合碍管（シリコンゴム）を用いている場合、ゴム部を保護する観点から、作業員Ｓの直接昇降がそもそも不可能であり、複合碍管（シリコンゴム）の新設時に専用の昇降設備を設置する場合があり、コストアップの要因となっている。
【００１３】
さらに、複合碍管（シリコンゴム）は、軽量である特性を有していることから、鉄塔上に設置されていることが多い。このような鉄塔上に設置されている気中ケーブルヘッドＡにおいては、そもそも足場Ｔを設置することが困難であるため、この点においても気中ケーブルヘッドＡに種々の作業を実施できない事態が生じている。
【００１４】
そこで、本発明は如上のような従来存した諸事情に鑑み創出されたもので、気中ケーブルヘッドの土台部に簡易足場を直接的に組み付け、この簡易足場を介して作業員が気中ケーブルヘッドに種々の作業を効率良く、安全に実施すると共に、鉄塔上等に設置されている気中ケーブルヘッドにも簡易足場を容易に組み付けて、作業員が気中ケーブルヘッドに種々の作業を実施することのできる、気中ケーブルヘッド用の簡易足場を提供することを目的とする。
【課題を解決するための手段】
【００１５】
本発明は、気中ケーブルヘッドの土台部に直接的に組み付けることのできる、気中ケーブルヘッド用の簡易足場であり、気中ケーブルヘッドの土台部に乗せる複数の縦型鋼材と、この複数の縦型鋼材を連結する湾曲した複数の横型鋼材により構成され、複数の縦型鋼材は、ナットを取り外して土台部から上向きに突出している架台のボルト軸を挿通させる孔を有する水平板片を下端部に固定していることで、上述した課題を解決した。
【００１６】
また、気中ケーブルヘッドの土台部に直接的に組み付けることのできる、気中ケーブルヘッド用の簡易足場であり、気中ケーブルヘッドの土台部に乗せる基礎部分と、基礎部分の上部に取り付ける積み重ね部分を備えていることで、同じく上述した課題を解決した。
【００１７】
さらに、基礎部分は、２本の縦型鋼材と１本の縦型保持枠を湾曲した複数の横型鋼材により連結している一対の半周枠体により形成され、それぞれの縦型鋼材は、ナットを取り外して土台部から上向きに突出している架台のボルト軸を挿通させる孔を有する水平板片を下端部に固定していることで、同じく上述した課題を解決した。
【００１８】
また、積み重ね部分は、２本の縦型鋼材と１本の縦型保持枠を湾曲した複数の横型鋼材により連結している一対の半周枠体により形成され、それぞれの縦型鋼材の下端部に接続用の筒部を設け、基礎部分を構成する縦型鋼材の上部分に、積み重ね部分の筒部を被せるようにして両部材を接続することで、同じく上述した課題を解決した。
【００１９】
加えて、基礎部分は、２本の短尺な縦型鋼材を、湾曲した横型鋼材により連結して形成され、それぞれの縦型鋼材は、ナットを取り外して土台部から上向きに突出している架台のボルト軸を挿通させる孔を有する水平板片を下端部に固定し、また、上部に細径の接続用棒部材を設けていることで、同じく上述した課題を解決した。
【００２０】
また、積み重ね部分は、２本の短尺な縦型鋼材を、湾曲した横型鋼材により連結して形成され、それぞれの縦型鋼材の下部に接続用の穴を設け、また、上部に細径の接続用棒部材を設け、基礎部分の接続用棒部材を積み重ね部分の接続用の穴に挿入して両部材を接続し、また、積み重ね部分の接続用棒部材を他の積み重ね部分の接続用の穴に挿入して両部材を接続することで、同じく上述した課題を解決した。
【００２１】
この他、気中ケーブルヘッドの土台部に直接的に組み付けることのできる、気中ケーブルヘッド用の簡易足場であり、気中ケーブルヘッドの土台部に乗せる複数の独立した縦型鋼材と、離隔している個々の縦型鋼材間に取り付ける単体としての横型鋼材により構成され、複数の独立した縦型鋼材は、ナットを取り外して土台部から上向きに突出している架台のボルト軸を挿通させる孔を有する水平板片を下端部に固定していることで、同じく上述した課題を解決した。
【００２２】
また、複数の独立した縦型鋼材は、上方から下方にかけて徐々に径を太くした複数の棒部材を連設して形成され、それぞれの部材の連設部分に段差を設けていることで、同じく上述した課題を解決した。
【００２３】
さらに、縦型鋼材は、下方に位置する棒部材の上部に接続用の穴を設け、この穴に上方に位置する棒部材の下部を挿入して複数の棒部材を連設していることで、同じく上述した課題を解決した。
【００２４】
また、離隔している個々の縦型鋼材間に取り付ける単体としての横型鋼材は、所定の長さの湾曲部材と、湾曲部材の両端部に設けたリング部分により形成されていることで、同じく上述した課題を解決した。
【００２５】
加えて、離隔している個々の縦型鋼材間に取り付ける単体としての横型鋼材は、所定の長さの湾曲部材と、湾曲部材の両端部に設けた３連設のリング部分により形成されていることで、同じく上述した課題を解決した。
【００２６】
また、離隔している個々の縦型鋼材間に取り付ける単体としての横型鋼材は、所定の長さの湾曲部材と、湾曲部材の両端部に設けた横長状のリング部分により形成されていることで、同じく上述した課題を解決した。
【００２７】
さらに、離隔している個々の縦型鋼材間に取り付ける単体としての横型鋼材は、所定の長さの湾曲部材を太径部材と細径部材により形成し、細径部材は太径部材に対して進退可能となるように太径部材に取り付けられ、これらの太径部材と細径部材の端部に単独のリング部分を設けていることで、同じく上述した課題を解決した。
【発明の効果】
【００２８】
本発明によれば、気中ケーブルヘッドの土台部に簡易足場を直接的に組み付けることにより、この簡易足場を介して作業員が気中ケーブルヘッドに種々の作業を効率良く、安全に実施することができる。
【００２９】
また、鉄塔上等に設置されている気中ケーブルヘッドにも簡易足場を容易に組み付けて、鉄塔上等に設置されている気中ケーブルヘッドにも作業員が種々の作業を容易に実施することができる。
【００３０】
具体的には、本発明は気中ケーブルヘッドの土台部に直接的に組み付けることのできる気中ケーブルヘッド用の簡易足場であることから、気中ケーブルヘッドに種々の作業を実施する際に、気中ケーブルヘッドの土台部に簡易足場を即座に組み付けて、この簡易足場を介して作業員が気中ケーブルヘッドに対する日々の点検作業や清掃作業、補修作業、リード線の開放・接続作業等の種々の作業を迅速に実施することができる。
【００３１】
また、気中ケーブルヘッドに種々の作業を実施する際に、気中ケーブルヘッドの近隣に足場を設置する必要がなくなるため、足場の設置作業、足場の解体作業も不要となり、作業時間が大幅に短縮されて全体の作業効率を向上させることができる。
【００３２】
さらに、足場の設置作業と解体作業に要する費用も節約できる。
【００３３】
また、気中ケーブルヘッドが変電所等に設置されている場合であっても、気中ケーブルヘッドの土台部に簡易足場を組み付けるため、長尺部材を運搬する必要がなく、簡易足場を構成する部材が充電部に接近して作業員が感電する危険性も回避できる。
【００３４】
加えて、送電の停止時間を可能な限り短くできる状態を実現し、作業員が気中ケーブルヘッドに対する日々の点検作業や清掃作業、補修作業、リード線の開放・接続作業等の種々の作業を迅速に実施することができる。
【００３５】
また、気中ケーブルヘッドが充電部に接近している等の周囲環境に制約がある場合、また、送電の停止時間を非常に短くしなければならない等の時間的な制約がある場合であっても、ケーブルヘッドの土台部に簡易足場を組み付けて、この簡易足場を介して作業員が種々の作業を確実に実施することができる。
【００３６】
この他、作業員が気中ケーブルヘッドに直接昇って種々の作業を実施する必要がなく、作業員が気中ケーブルヘッドから墜落してしまう危険性も回避できる。
【００３７】
また、気中ケーブルヘッドとして複合碍管（シリコンゴム）を用いている場合であっても、気中ケーブルヘッドの土台部に簡易足場を組み付けるため、ゴム部に負荷を加えることなく、作業員が種々の作業を容易に実施することができる。
【００３８】
さらに、複合碍管（シリコンゴム）は、軽量である特性を有していることから、鉄塔上に設置されていることが多いが、このような鉄塔上に設置されている気中ケーブルヘッドにおいてもその土台部に簡易足場を組み付けるため、作業員が種々の作業を容易に実施することができる。
【００３９】
また、気中ケーブルヘッドの土台部に乗せる複数の縦型鋼材と、この複数の縦型鋼材を連結する湾曲した複数の横型鋼材により構成され、複数の縦型鋼材は、ナットを取り外して土台部から上向きに突出している架台のボルト軸を挿通させる孔を有する水平板片を下端部に固定していることから、気中ケーブルヘッドの土台部に簡易足場を即座に組み付けることができる。
【００４０】
具体的には、気中ケーブルヘッドを架台に固定している架台側のボルト軸の先端部に螺合しているナットを外し、縦型鋼材の下端部に固定しているそれぞれの水平板片を、ナットを外している架台側のボルト軸に宛がい、このボルト軸を縦型鋼材の水平板片の孔に下方から挿通させ、水平板片の孔から上向きに突出しているボルト軸の先端部にナットを螺合させるだけで、気中ケーブルヘッドの土台部に縦型鋼材を容易に固定できる。
【００４１】
また、気中ケーブルヘッド用の簡易足場は、気中ケーブルヘッドの土台部に乗せる基礎部分と、基礎部分の上部に取り付ける積み重ね部分を備えていることから、気中ケーブルヘッドが、例えば、４メートル程度の高さを有している場合であっても、簡易足場としての適正な高さを構築できる。
【００４２】
加えて、基礎部分は、２本の縦型鋼材と１本の縦型保持枠を湾曲した複数の横型鋼材により連結している一対の半周枠体により形成され、また、積み重ね部分も、２本の縦型鋼材と１本の縦型保持枠を湾曲した複数の横型鋼材により連結している一対の半周枠体により形成されていることから、基礎部分と積み重ね部分により、気中ケーブルヘッドの全周を囲った好ましい作業環境を構築できる。
【００４３】
また、積み重ね部分の縦型鋼材の下端部に接続用の筒部を設け、基礎部分を構成する縦型鋼材の上部分に、積み重ね部分の筒部を被せるようにして両部材を接続することにより、両部材の接続状態を堅牢に維持することができる。
【００４４】
この他、基礎部分は、２本の短尺な縦型鋼材を、湾曲した横型鋼材により連結して形成され、上部に細径の接続用棒部材を設けており、積み重ね部分は、２本の短尺な縦型鋼材を、湾曲した横型鋼材により連結して形成され、それぞれの縦型鋼材の下部に接続用の穴を設け、また、上部に細径の接続用棒部材を設け、基礎部分の接続用棒部材を積み重ね部分の接続用の穴に挿入して両部材を接続し、また、積み重ね部分の接続用棒部材を他の積み重ね部分の接続用の穴に挿入して両部材を接続することから、気中ケーブルヘッドの土台部に、梯子状の簡易足場を容易に組み付けることができる。
【００４５】
さらに、気中ケーブルヘッドの土台部に直接的に組み付けることのできる、気中ケーブルヘッド用の簡易足場であり、気中ケーブルヘッドの土台部に乗せる複数の独立した縦型鋼材と、離隔している個々の縦型鋼材間に取り付ける単体としての横型鋼材により構成され、複数の独立した縦型鋼材は、ナットを取り外して土台部から上向きに突出している架台のボルト軸を挿通させる孔を有する水平板片を下端部に固定していることから、３種類の径を有する気中ケーブルヘッドの土台部のいずれにも縦型鋼材を容易に固定することができる。
【００４６】
また、複数の独立した縦型鋼材は、上方から下方にかけて徐々に径を太くした複数の棒部材を連設して形成され、それぞれの部材の連設部分に段差を設けており、離隔している個々の縦型鋼材間に取り付ける単体としての横型鋼材は、所定の長さの湾曲部材と、湾曲部材の両端部に設けたリング部分により形成されていることから、離隔している縦型鋼材同士に横型鋼材のリング部分を挿着し、横型鋼材のリング部分を縦型鋼材の段差の位置に支持できる。
【００４７】
加えて、縦型鋼材は、下方に位置する棒部材の上部に接続用の穴を設け、この穴に上方に位置する棒部材の下部を挿入して複数の棒部材を連設していることから、作業員が縦型鋼材を簡単に組み立てて、簡易足場としての適正な高さを容易に構築できる。
【００４８】
また、離隔している個々の縦型鋼材間に取り付ける単体としての横型鋼材を、所定の長さの湾曲部材と、湾曲部材の両端部に設けた３連設のリング部分により形成したときには、個々の縦型鋼材に３連設のリング部分の好ましい部分を宛がうことにより、３種類の径を有する気中ケーブルヘッドの土台部に固定して離隔した状態となっている個々の縦型鋼材間のいずれにも横型鋼材を挿着することができる。
【００４９】
さらに、横型鋼材を、所定の長さの湾曲部材と、湾曲部材の両端部に設けた横長状のリング部分により形成したり、また、所定の長さの湾曲部材を太径部材と細径部材により形成し、細径部材は太径部材に対して進退可能となるように太径部材に取り付けられ、これらの太径部材と細径部材の端部に単独のリング部分を設けているときも、３種類の径を有する気中ケーブルヘッドの土台部に固定した離隔している個々の縦型鋼材間のいずれにも横型鋼材を挿着することができる。
【発明を実施するための最良の形態】
【００５０】
以下に、本発明を実施するための最良の形態を、図面を参照して説明する。
【００５１】
本発明は、気中ケーブルヘッドＡの土台部Ｅに直接的に組み付けることのできる、気中ケーブルヘッドＡ用の簡易足場１である。
【００５２】
気中ケーブルヘッドＡは、図１（ａ）に示すように、積層状態で所定の高さを有する碍子部分Ｂを備えており、その上端部に導体引出棒Ｃを設けている。また、気中ケーブルヘッドＡは、図１（ｂ）に示すように、その下端部に４個の水平脚部Ｄを等間隔に延設した土台部Ｅを備えている。
【００５３】
一方、架台Ｊ側には、4個のボルト軸Ｆを方形状に配設している。そして、土台部Ｅの水平脚部Ｄのそれぞれには、ボルト軸Ｆを挿通させる孔Ｇを設けている。
【００５４】
架台Ｊへの気中ケーブルヘッドＡの取り付けに際しては、まず、架台Ｊのボルト軸Ｆに、気中ケーブルヘッドＡにおける土台部Ｅの水平脚部Ｄの孔Ｇを宛がう。そして、図１（ｃ）に示すように、架台Ｊ側のボルト軸Ｆを、水平脚部Ｄの孔Ｇに下方から挿通させ、水平脚部Ｄの孔Ｇから上向きに突出しているボルト軸Ｆの先端部にナットＨを螺合させることにより、図２に示すように、架台Ｊに気中ケーブルヘッドＡを立設した状態で固定するのである。
【００５５】
この気中ケーブルヘッドＡの土台部Ｅは、図１（ｄ）に示すように、水平脚部Ｄのボルト軸Ｆを挿通させる孔Ｇ間の径が、４５０ｍｍ、６００ｍｍ、８００ｍｍの３種類が存在する。
【００５６】
本発明に係る気中ケーブルヘッドＡ用の簡易足場１は、前記した３種類の径を有する気中ケーブルヘッドＡの土台部Ｅに対し、それぞれの径に個別に対応するために、サイズの異なる簡易足場１を３種類用意するタイプのものと、３種類の径を有する気中ケーブルヘッドＡの土台部Ｅのいずれにも対応できるタイプのものとがある。
【００５７】
３種類の径を有する気中ケーブルヘッドＡの土台部Ｅに対し、それぞれの径に個別に対応するために、サイズの異なる簡易足場１を３種類用意するタイプのものとしては、例えば、図３に示すように、３本の縦型鋼材２を、湾曲した複数の横型鋼材３により連結したものがある。
【００５８】
この３本の縦型鋼材２と複数の横型鋼材３は、図４に示すように、気中ケーブルヘッドＡにおける碍子部分Ｂの半周面を覆うように配設されている。このとき、水平方向に隣り合う２個の横型鋼材３は、自身の湾曲により半円状態を形成している。
【００５９】
また、個々の縦型鋼材２は、図３に示すように、下端部に水平板片４を固定している。この水平板片４には、架台Ｊのボルト軸Ｆを挿通させる孔５を設けている。この水平板片４は、３本の縦型鋼材２を複数の横型鋼材３により連結した際、互いに内側を向くようになっている。さらに、縦型鋼材２と横型鋼材３を、傾斜状に配置した複数の補強材６により連結している。
【００６０】
簡易足場１を気中ケーブルヘッドＡの土台部Ｅに取り付ける際には、まず、気中ケーブルヘッドＡを架台Ｊに固定している架台Ｊ側のボルト軸Ｆの先端部に螺合している３箇所のナットＨを外す。
【００６１】
尚、３箇所のナットＨを外した場合であっても、気中ケーブルヘッドＡの土台部Ｅは、残りの1箇所におけるボルト軸ＦとナットＨにより架台Ｊに固定されているため、気中ケーブルヘッドＡが倒れることはない。
【００６２】
次に、３本の縦型鋼材２の下端部に固定しているそれぞれの水平板片４を、ナットＨを外している架台Ｊ側の３箇所のボルト軸Ｆに宛がう。そして、図４・図５に示すように、架台Ｊ側の３箇所のボルト軸Ｆを、３本の縦型鋼材２の水平板片４の孔５に下方から挿通させ、水平板片４の孔５から上向きに突出しているそれぞれのボルト軸Ｆの先端部にナットＨを螺合させる。
【００６３】
このようにして、簡易足場１は、架台Ｊ側の３箇所のボルト軸Ｆを介して、気中ケーブルヘッドＡの土台部Ｅを構成する３個の水平脚部Ｄに立設した状態で固定される。また、簡易足場１は、気中ケーブルヘッドＡにおける碍子部分Ｂの半周面を覆うようにして、水平脚部Ｄに固定される。
【００６４】
気中ケーブルヘッドＡに種々の作業を実施するときには、図５に示すように、作業員Ｓが簡易足場１を昇り、簡易足場１の横型鋼材３に足を乗せる。また、作業員Ｓは、胴ベルトタイプの安全帯Ｋを装着しており、この安全帯Ｋが備えているロープＲを気中ケーブルヘッドＡの碍子部分Ｂまたは簡易足場１に巻回して墜落を防止する。
【００６５】
この他、図６に示すように、簡易足場１を、気中ケーブルヘッドＡにおける碍子部分Ｂの全周を覆うように構成しても良い。
【００６６】
この簡易足場１は、図７に示すように、気中ケーブルヘッドＡの土台部Ｅに固定する基礎部分１０と、この基礎部分１０の上部に取り付ける積み重ね部分１１により構成されている。
【００６７】
基礎部分１０は、図８に示すように、同一形状の一対の半周枠体１２により形成されている。個々の半周枠体１２は、２本の縦型鋼材１３と、１本の縦型保持枠１４を、湾曲した複数の横型鋼材１５により連結している。このとき、水平方向に隣り合う２個の横型鋼材１５は、自身の湾曲により半円状態を形成している。また、半円の一端部と中心部に２本の縦型鋼材１３が位置し、半円の他端部に縦型保持枠１４が位置している。
【００６８】
２本の縦型鋼材１３は、図８に示すように、下端部に水平板片１６を固定している。水平板片１６には、架台Ｊのボルト軸Ｆを挿通させる孔１７を設けている。この水平板片１６は、２本の縦型鋼材１３を複数の横型鋼材３により連結した際、互いに内側を向くようになっている。
【００６９】
また、縦型鋼材１３と水平板片１６に当接するように、補強板片１８を固定している。さらに、縦型鋼材１３と横型鋼材１５を、傾斜状に配置した複数の補強材１９により連結している。
【００７０】
加えて、半円の一端部に位置する縦型鋼材１３は、上部に２個の孔２０，２１を設け、中間部と下部にも孔２１を設けている。また、半円の中心部に位置する縦型鋼材１３は、上部に１個の孔２０を設けている。
【００７１】
一方、半円の他端部に位置する縦型保持枠１４は、長方形状の基礎板２４と、この基礎板２４の長手方向に沿った両端部に固定した両側壁２５により、全体がコ字形に形成されている。
【００７２】
そして、横型鋼材１５の端部に縦型保持枠１４の基礎板２４が固定され、コ字形の開口部分が外側を向くように縦型保持枠１４が配置されている。また、縦型保持枠１４は、上部・中間部・下部のそれぞれに、孔２６を設けている。縦型保持枠１４の孔２６は、縦型鋼材１３の孔２１にそれぞれ合致するものである。
【００７３】
このように形成された一対の半周枠体１２は、図８に示すように、一方の半周枠体１２の縦型鋼材１３を、他方の半周枠体１２の縦型保持枠１４の開口部分に装入した状態で固定し、図７に示すように、全体として略円筒状になるようにする。このとき、４本の縦型鋼材１３の下端部に固定しているそれぞれの水平板片１６は、互いに内側を向くように配置される。
【００７４】
そして、合致している縦型保持枠１４の孔２６と縦型鋼材１３の孔２１にボルト部材２７を挿入し、縦型保持枠１４の反対側に固定しているナット部材２８にボルト部材２７の端部を螺合させて一対の半周枠体１２を固定する。
【００７５】
また、縦型保持枠１４は、縦型鋼材１３よりも若干短く形成されており、一対の半周枠体１２を固定した際に、図７に示すように、縦型鋼材１３の上部分が縦型保持枠１４の上方に向けて突出して露出した状態となる。このとき、縦型鋼材１３の上部における孔２０も露出している。そして、４本の縦型鋼材１３の孔２０は、いずれも同じ高さに配置されており、後述する積み重ね部分１１を接続する際に使用される。
【００７６】
基礎部分１０の上部に取り付ける積み重ね部分１１は、図９に示すように、基本的に前記した基礎部分１０と同様に構成されることから、その構成が基礎部分１０と同じ部分には積み重ね部分１１に同一の符号を付すことにより、その詳細な説明を省略する。
【００７７】
積み重ね部分１１の特徴は、図９に示すように、４本の縦型鋼材１３の下端部に、接続用の筒部３０を設けている点にある。この筒部３０は、図１０に示すように、下部に孔３１設けている。この孔３１は、縦型鋼材１３の孔２０にそれぞれ合致するものである。
【００７８】
そして、図１１に示すように、基礎部分１０を構成する縦型鋼材１３の上部分に、積み重ね部分１１の筒部３０を被せるようにして両部材を接続する。この接続状態において、合致している筒部３０の孔３１と縦型鋼材１３の孔２０にボルト部材２７を挿入し、筒部３０の反対側に固定しているナット部材２８にボルト部材２７の端部を螺合させて基礎部分１０の上部に積み重ね部分１１を固定する。
【００７９】
簡易足場１を気中ケーブルヘッドＡに取り付ける際には、まず、気中ケーブルヘッドＡを架台Ｊに固定している架台Ｊ側のボルト軸Ｆの先端部に螺合している２箇所のナットＨを外す。
【００８０】
尚、２箇所のナットＨを外した場合であっても、気中ケーブルヘッドＡの土台部Ｅは、他の２箇所におけるボルト軸ＦとナットＨにより架台Ｊに固定されているため、気中ケーブルヘッドＡが倒れることはない。
【００８１】
次に、基礎部分１０を構成する一方の半周枠体１２を、気中ケーブルヘッドＡにおける碍子部分Ｂの半周面を覆うように配置し、この半周枠体１２の２本の縦型鋼材１３の下端部にそれぞれ固定している水平板片１６を、ナットＨを外している架台Ｊ側の２箇所のボルト軸Ｆに宛がう。
【００８２】
そして、図６に示すように、架台Ｊ側の２箇所のボルト軸Ｆを、一方の半周枠体１２の２本の縦型鋼材１３のそれぞれの水平板片１６の孔１７に下方から挿通させ、水平板片１６の孔１７から上向きに突出している２箇所のボルト軸Ｆの先端部にナットＨを螺合させる。
【００８３】
次に、気中ケーブルヘッドＡを架台Ｊに固定している架台Ｊ側のボルト軸Ｆの先端部に螺合している他の２箇所のナットＨを外す。
【００８４】
そして、基礎部分１０を構成する他方の半周枠体１２を、気中ケーブルヘッドＡにおける碍子部分Ｂの他の半周面を覆うように配置し、互いに縦型保持枠１４の開口部分に縦型鋼材１３を装入して一対の半周枠体１２を接合させる。このとき、他方の半周枠体１２の水平板片１６が、ナットＨを外しているボルト軸Ｆの上に位置するようにする。
【００８５】
次に、他方の半周枠体１２を下方に移動させ、この半周枠体１２の２本の縦型鋼材１３の下端部にそれぞれ固定している水平板片１６を、ナットＨを外している架台Ｊ側の２箇所のボルト軸Ｆに宛がう。
【００８６】
そして、図６に示すように、架台Ｊ側の２箇所のボルト軸Ｆを、他方の半周枠体１２の２本の縦型鋼材１３のそれぞれの水平板片１６の孔１７に下方から挿通させ、水平板片１６の孔１７から上向きに突出している２箇所のボルト軸Ｆの先端部にナットＨを螺合させる。
【００８７】
このようにして、基礎部分１０は、架台Ｊ側の４箇所のボルト軸Ｆを介して、気中ケーブルヘッドＡの土台部Ｅを構成する４個の水平脚部Ｄに立設した状態で固定される。また、基礎部分１０は、気中ケーブルヘッドＡにおける碍子部分Ｂの周面全体を覆うようにして、水平脚部Ｄに固定される。
【００８８】
次に、基礎部分１０の上方において、積み重ね部分１１を構成する一対の半周枠体１２を、気中ケーブルヘッドＡにおける碍子部分Ｂの周面全体を覆うように配置し、一方の半周枠体１２の縦型鋼材１３を、他方の半周枠体１２の縦型保持枠１４の開口部分に装入した状態で固定する。
【００８９】
これと同時に、図６に示すように、基礎部分１０を構成する縦型鋼材１３の上部分に、積み重ね部分１１の筒部３０を被せるようにして両部材を接続して固定する。
【００９０】
また、気中ケーブルヘッドＡの高さに応じて、積み重ね部分１１の上に、図示していないもう１つの積み重ね部分（１１）を接続しても良い。
【００９１】
このように基礎部分１０と積み重ね部分１１により構成される簡易足場１により、気中ケーブルヘッドの全体を囲むことができる。そして、気中ケーブルヘッドＡに種々の作業を実施するときには、複数の作業員Ｓが簡易足場１を同時に昇り、個々の作業員Ｓは横型鋼材１５に手を掛けたり、足を乗せる。また、個々の作業員Ｓは、安全帯Ｋが備えているロープＲを縦型鋼材１３または横型鋼材１５または補強材１９に引っ掛けて墜落を防止する。
【００９２】
この他、図１２に示すように、簡易足場１を、気中ケーブルヘッドＡにおける碍子部分Ｂの略４分の１程度を覆う梯子状に構成しても良い。
【００９３】
この簡易足場１は、図１３・図１４に示すように、気中ケーブルヘッドＡの土台部Ｅに固定する基礎部分４０と、この基礎部分４０の上部に取り付ける複数の積み重ね部分４１により構成されている。
【００９４】
基礎部分４０は、図１３に示すように、２本の短尺な縦型鋼材４２を、湾曲した横型鋼材４３により連結している。
【００９５】
２本の縦型鋼材１３は、図１３に示すように、下端部に水平板片４４を固定している。水平板片４４には、架台Ｊのボルト軸Ｆを挿通させる孔４５を設けている。この水平板片４４は、２本の縦型鋼材４２を横型鋼材４３により連結した際、互いに内側を向くようになっている。また、縦型鋼材４２と横型鋼材４３を、傾斜状に配置した複数の補強材４６により連結している。
【００９６】
さらに、縦型鋼材４２の上部には、細径の接続用棒部材４７を設けている。この接続用棒部材４７の基端部には、段差４８が存在している。
【００９７】
基礎部分４０の上部に取り付ける複数の積み重ね部分４１は、図１３に示すように、基本的に前記した基礎部分４０と同様に構成されることから、その構成が基礎部分４０と同じ部分には積み重ね部分４１に同一の符号を付すことにより、その詳細な説明を省略する。
【００９８】
積み重ね部分１１の特徴は、図１３に示すように、２本の縦型鋼材４２の下部に、接続用の穴４９を設けている点にある。
【００９９】
簡易足場１を気中ケーブルヘッドＡに取り付ける際には、まず、気中ケーブルヘッドＡを架台Ｊに固定している架台Ｊ側のボルト軸Ｆの先端部に螺合している２箇所のナットＨを外す。
【０１００】
次に、基礎部分４０を構成する２本の縦型鋼材４２の下端部に固定しているそれぞれの水平板片４４を、ナットＨを外している架台Ｊ側の２箇所のボルト軸Ｆに宛がう。そして、図１２に示すように、架台Ｊ側の２箇所のボルト軸Ｆを、基礎部分４０を構成する２本の縦型鋼材４２のそれぞれの水平板片４４の孔４５に下方から挿通させ、水平板片４４の孔４５から上向きに突出している２箇所のボルト軸Ｆの先端部にナットＨを螺合させる。
【０１０１】
このようにして、基礎部分４０は、架台Ｊ側の２箇所のボルト軸Ｆを介して、気中ケーブルヘッドＡの土台部Ｅを構成する２個の水平脚部Ｄに立設した状態で固定される。
【０１０２】
次に、図１３に示すように、基礎部分４０の接続用棒部材４７に、積み重ね部分４１の下部を宛がい、積み重ね部分４１の接続用の穴４９に基礎部分４０の接続用棒部材４７を挿入する。このとき、積み重ね部分４１の下端部は、基礎部分４０の段差４８に当たった状態となっている。
【０１０３】
さらに、図１２・図１４に示すように、積み重ね部分４１の接続用棒部材４７に、他の積み重ね部分４１の下部を宛がい、その接続用の穴４９に接続用棒部材４７を挿入する。
【０１０４】
この動作を繰り返し行うことにより、基礎部分４０の上部に複数の積み重ね部分４１を積み上げていく。
【０１０５】
このように基礎部分４０と複数の積み重ね部分４１により、梯子状の簡易足場１を構成することができる。そして、気中ケーブルヘッドＡに種々の作業を実施するときには、作業員Ｓが梯子状の簡易足場１に昇り、横型鋼材４３に手を掛けたり、足を乗せる。また、作業員Ｓは、安全帯Ｋが備えているロープＲを縦型鋼材４２または横型鋼材４３または補強材４６に引っ掛けて墜落を防止する。
【０１０６】
一方、簡易足場１を、３種類の径を有する気中ケーブルヘッドＡの土台部Ｅのいずれにも対応できるタイプのものに構成しても良い。
【０１０７】
このタイプの簡易足場１は、例えば、図１５に示す４本の独立した縦型鋼材５０と、図１６に示す単体としての横型鋼材５１により構成される。
【０１０８】
個々の縦型鋼材５０は、上方から下方にかけて徐々に径を太くした複数の棒部材（５２、５３、５４）を連設して形成している。具体的には、図１５に示すように、上方から細い棒部材５２、中太の棒部材５３、太い棒部材５４を連設して所定の高さを備えている。また、それぞれの部材の連設部分には、段差５５、５６が存在している。
【０１０９】
尚、縦型鋼材５０は、上下の棒部材を連接して２段に構成しても良いし、また、複数の棒部材を連接して３段以上に構成しても良い。
【０１１０】
さらに、縦型鋼材５０は、下方に位置する棒部材の上部に接続用の穴を設け、この穴に上方に位置する棒部材の下部を挿入して複数の棒部材を連設しても良い。
【０１１１】
この他、縦型鋼材５０は、太い棒部材５４の下端部に水平板片５７を固定している。この水平板片５７には、架台Ｊのボルト軸Ｆを挿通させる孔５８を設けている。
【０１１２】
単体としての横型鋼材５１は、例えば、図１６（ａ）に示すように、所定の長さの湾曲部材５９と、湾曲部材５９の両端部に設けたリング部分６０により形成されている。
【０１１３】
そして、簡易足場１を気中ケーブルヘッドＡに取り付ける際には、まず、気中ケーブルヘッドＡを架台Ｊに固定している架台Ｊ側のボルト軸Ｆの先端部に螺合している１箇所のナットＨを外す。
【０１１４】
次に、１本の独立した縦型鋼材５０の下端部に固定している水平板片５７を、ナットＨを外している架台Ｊ側の１箇所のボルト軸Ｆに宛がう。そして、図１７に示すように、架台Ｊ側の１箇所のボルト軸Ｆを、１本の独立した縦型鋼材５０の水平板片５７の孔５８に下方から挿通させ、水平板片５７の孔５８から上向きに突出しているボルト軸Ｆの先端部にナットＨを螺合させる。
【０１１５】
次に、気中ケーブルヘッドＡを架台Ｊに固定している架台Ｊ側のボルト軸Ｆの先端部に螺合している他の１箇所のナットＨを外し、１本の独立した縦型鋼材５０の下端部に固定している水平板片５７を、このナットＨを外したボルト軸Ｆに宛がう。
【０１１６】
そして、図１７に示すように、架台Ｊ側の１箇所のボルト軸Ｆを、１本の独立した縦型鋼材５０の水平板片５７の孔５８に下方から挿通させ、水平板片５７の孔５８から上向きに突出しているボルト軸Ｆの先端部にナットＨを螺合させる。
【０１１７】
この作業を繰り返し行って、独立した縦型鋼材５０を、気中ケーブルヘッドＡの土台部Ｅに1本づつ固定していく。
【０１１８】
このようにして、４本の独立した縦型鋼材５０は、架台Ｊ側の４箇所のボルト軸Ｆを介して、気中ケーブルヘッドＡの土台部Ｅを構成する４個の水平脚部Ｄに立設した状態で固定される。
【０１１９】
次に、図１７に示すように、横型鋼材５１（図１６（ａ）のもの）を４本の独立した縦型鋼材５０間に取り付けていく。
【０１２０】
手順としては、まず、隣り合う２本の縦型鋼材５０に横型鋼材５１の単独のリング部分６０をそれぞれ挿着し、単独のリング部分６０を段差５６の位置に配置する。同様に、対向して隣り合っている２本の縦型鋼材５０にも横型鋼材５１の単独のリング部分６０をそれぞれ挿着し、単独のリング部分６０を段差５６の位置に配置する。
【０１２１】
次に、別々の横型鋼材５１のいずれも一方のリング部分６０の上に他の横型鋼材５１のリング部分６０を乗せるようにして、隣り合う２本の縦型鋼材５０に横型鋼材５１のリング部分６０を挿着する。同様に、別々の横型鋼材５１のいずれも他方のリング部分６０の上に他の横型鋼材５１のリング部分６０を乗せるようにして、隣り合う２本の縦型鋼材５０に横型鋼材５１のリング部分６０を挿着する。
【０１２２】
そして、段差５５の位置においても、横型鋼材５１のリング部分６０（小径）を挿着し、同様の横型鋼材５１の取り付け操作を行う。
【０１２３】
このとき、気中ケーブルヘッドＡの３種類の径（４５０ｍｍ、６００ｍｍ、８００ｍｍ）に対応して、気中ケーブルヘッドＡの水平脚部Ｄに固定している４本の独立した縦型鋼材５０間の離隔距離が異なることから、横型鋼材５１（図１６（ａ）のもの）は、その離隔距離に合わせた３種類が必要となる。さらに、横型鋼材５１（図１６（ａ）のもの）のそれぞれは、縦型鋼材５０における個々の段差に係合するリング部分６０を備えている必要がある。
【０１２４】
この他、単体としての横型鋼材５１を、例えば、図１６（ｂ）に示すように、所定の長さの湾曲部材５９と、湾曲部材５９の両端部に設けた３連設のリング部分６０により形成しても良い。
【０１２５】
この３連設のリング部分６０は、それ自身により３種類の縦型鋼材５０間の離隔距離に対応している。また、図１６（ｂ）に示す横型鋼材５１も、縦型鋼材５０における個々の段差に係合するリング部分６０を備えている必要がある。
【０１２６】
また、図１６（ｃ）に示すように、湾曲部材５９の両端部に、３種類の縦型鋼材５０間の離隔距離に対応している横長状のリング部分６０を設けても良い。このとき、リング部分６０の内側には、縦型鋼材５０を保持する３箇所の窪み部分６３を備えている。
【０１２７】
さらに、図１６（ｄ）に示すように、湾曲部材５９を太径部材６１と細径部材６２により形成しても良い。このとき、細径部材６２は、太径部材６１に対して進退可能となるように太径部材６１に取り付けられている。この太径部材６１に対する細径部材６２の進退により、３種類の縦型鋼材５０間の離隔距離に対応するのである。
【０１２８】
また、図１８（ａ）に示すように、個々の縦型鋼材５０を、上方から下方にかけて徐々に径を太くした単独の棒部材により形成しても良い。
【０１２９】
このような縦型鋼材５０に取り付ける横型鋼材５１は、図１８（ｂ）に示すように、所定の長さの湾曲部材５９と、湾曲部材５９の両端部に設けたリング部分６０により形成されている。このリング部分６０は、縦型鋼材５０に挿着したとき、縦型鋼材５０の適当な位置で縦型鋼材５０の外周面に嵌まり合うように当接する内周面を形成している。
【産業上の利用可能性】
【０１３０】
本発明は、気中ケーブルヘッドの土台部に簡易足場を直接的に組み付け、この簡易足場を介して作業員が気中ケーブルヘッドに種々の作業を効率良く、安全に実施するものとして、変電所構内等に設置されている気中ケーブルヘッドは勿論のこと、鉄塔上に設置されている気中ケーブルヘッドや、複合碍管（シリコンゴム）の気中ケーブルヘッド等の、様々な設置状態、また、様々な種類の気中ケーブルヘッドにも、幅広く利用されるものである。
【図面の簡単な説明】
【０１３１】
【図１】気中ケーブルヘッドの構成を示すもので、（ａ）は下端部に土台部を備えている気中ケーブルヘッドの構成を示す側面図、（ｂ）は土台部の構成を示す斜視図、（ｃ）は架台側のボルト軸を水平脚部の孔に下方から挿通させ、水平脚部の孔から上向きに突出しているボルト軸の先端部にナットを螺合させて架台に気中ケーブルヘッドを固定している状態を示す側面図、（ｄ）は水平脚部のボルト軸を挿通させる孔間の径について、４５０ｍｍ、６００ｍｍ、８００ｍｍの３種類が存在することを示す平面図である。
【図２】所定の架台に気中ケーブルヘッドを立設状に固定している状態を示す斜視図である。
【図３】３本の縦型鋼材と、これらの縦型鋼材を連結する複数の横型鋼材を備えている簡易足場の構成を示す斜視図である。
【図４】３本の縦型鋼材と、これらの縦型鋼材を連結する複数の横型鋼材を備えている簡易足場を、気中ケーブルヘッドの土台部に固定している状態を示す斜視図である。
【図５】３本の縦型鋼材とこれらの縦型鋼材を連結する複数の横型鋼材を備えている簡易足場を気中ケーブルヘッドの土台部に固定し、作業員が作業を行っている状態を示す斜視図である。
【図６】基礎部分と、この基礎部分の上部に取り付ける積み重ね部分により簡易足場を構成し、基礎部分と積み重ね部分により気中ケーブルヘッドにおける碍子部分の全周を覆っている状態を示す斜視図である。
【図７】基礎部分の上に、積み重ね部分を接続する状態を示す分解斜視図である。
【図８】基礎部分の構成を示す分解斜視図である。
【図９】積み重ね部分の構成を示す分解斜視図である。
【図１０】積み重ね部分の接続用の筒部を、基礎部分を構成する縦型鋼材の上部分に被せて、両部材を接続する状態を示す分解斜視図である。
【図１１】積み重ね部分の接続用の筒部を、基礎部分を構成する縦型鋼材の上部分に被せて、両部材を接続した状態を示す斜視図である。
【図１２】梯子状に構成した簡易足場を、気中ケーブルヘッドの土台部に固定している状態を示す斜視図である。
【図１３】基礎部分と、基礎部分の上部に取り付ける積み重ね部分の構成を示す分解斜視図である。
【図１４】基礎部分と、この基礎部分の上部に取り付けた複数の積み重ね部分により、梯子状に形成された簡易足場の構成を示す斜視図である。
【図１５】３種類の径を有する気中ケーブルヘッドの土台部のいずれにも対応できる４本の独立した縦型鋼材の構成を示す斜視図である。
【図１６】単体としての横型鋼材の構成を示すもので、（ａ）は湾曲部材と、湾曲部材の両端部に単独のリング部分を設けている横型鋼材の構成を示す斜視図、（ｂ）は湾曲部材と、湾曲部材の両端部に３連設のリング部分を設けている横型鋼材の構成を示す斜視図、（ｃ）は湾曲部材と、湾曲部材の両端部に横長状のリング部分を設けている横型鋼材の構成を示す斜視図、（ｄ）は湾曲部材を太径部材と細径部材により形成し、細径部材は、太径部材に対して進退可能となるように取り付けられている横型鋼材の構成を示す斜視図である。
【図１７】４本の独立した縦型鋼材を気中ケーブルヘッドの土台部に固定し、これらの縦型鋼材に複数の横型鋼材を装着している状態を示す斜視図である。
【図１８】縦型鋼材と横型鋼材の他の形状を示すもので、（ａ）は上方から下方にかけて徐々に径を太くした単独の棒部材により形成している縦型鋼材の構成を示す斜視図、（ｂ）は湾曲部材の両端部に、縦型鋼材に挿着したとき、縦型鋼材の適当な位置で縦型鋼材の外周面に嵌まり合うように当接する内周面を形成しているリング部分を設けている横型鋼材の構成を示す斜視図である。
【図１９】気中ケーブルヘッドの近隣に複数の単管パイプを組み上げて足場を設置している状態を示す斜視図である。
【図２０】作業員が安全帯を装着し、この安全帯が備えているロープを気中ケーブルヘッドの碍子部分に巻回した状態において、作業員が気中ケーブルヘッドに直接昇っている状態を示す側面図である。
【符号の説明】
【０１３２】
Ａ…気中ケーブルヘッド
Ｂ…碍子部分
Ｃ…導体引出棒
Ｄ…水平脚部
Ｅ…土台部
Ｆ…ボルト軸
Ｇ…孔
Ｈ…ナット
Ｊ…架台
Ｓ…作業員
Ｔ…足場
Ｋ…安全帯
Ｒ…ロープ
１…簡易足場
２…縦型鋼材
３…横型鋼材
４…水平板片
５…孔
６…補強材
１０…基礎部分
１１…積み重ね部分
１２…半周枠体
１３…縦型鋼材
１４…縦型保持枠
１５…横型鋼材
１６…水平板片
１７…孔
１８…補強板片
１９…補強材
２０…孔
２１…孔
２４…基礎板
２５…側壁
２６…孔
２７…ボルト部材
２８…ナット部材
３０…筒部
３１…孔
４０…基礎部分
４１…積み重ね部分
４２…縦型鋼材
４３…横型鋼材
４４…水平板片
４５…孔
４６…補強材
４７…接続用棒部材
４８…段差
４９…接続用の穴
５０…縦型鋼材
５１…横型鋼材
５２…細い棒部材
５３…中太の棒部材
５４…太い棒部材
５５…段差
５６…段差
５７…水平板片
５８…孔
５９…湾曲部材
６０…リング部分
６１…太径部材
６２…細径部材
６３…窪み部分
【図１】
2010022106.tif 000003
【図２】
2010022106.tif 000004
【図３】
2010022106.tif 000005
【図４】
2010022106.tif 000006
【図５】
2010022106.tif 000007
【図６】
2010022106.tif 000008
【図７】
2010022106.tif 000009
【図８】
2010022106.tif 000010
【図９】
2010022106.tif 000011
【図１０】
2010022106.tif 000012
【図１１】
2010022106.tif 000013
【図１２】
2010022106.tif 000014
【図１３】
2010022106.tif 000015
【図１４】
2010022106.tif 000016
【図１５】
2010022106.tif 000017
【図１６】
2010022106.tif 000018
【図１７】
2010022106.tif 000019
【図１８】
2010022106.tif 000020
【図１９】
2010022106.tif 000021
【図２０】
2010022106.tif 000022